(57)【要約】【課題】利用者が非接触通信媒体を持った手で入力操作部を操作しようとしても、非接触通信媒体と無線通信部との無線通信を停止させて、誤作動を防ぐことができる非接触通信媒体対応装置を得る。【解決手段】筐体２と、筐体２の内部に設けられ、非接触ＩＣカード４との無線通信用のアンテナ５を有した無線通信部と、筐体２の外面に設けられ、接触により信号が入力されるテンキー８と、筐体２の内部に設けられ、無線通信部およびテンキー８とそれぞれ電気的に接続された制御部７とを備えたセキュリティシステム用非接触カードリーダ１において、制御部７は、テンキー８へ信号が入力される場合には、非接触ＩＣカード４と無線通信部６との無線通信を停止し、非接触ＩＣカード４と無線通信部６とが無線通信を行う場合には、テンキー８への信号の入力を停止する。【選択図】図１
2008123433.tif 000002
【特許請求の範囲】
【請求項１】
筐体と、
前記筐体の外面に設けられ、接触により信号が入力される入力操作部と、
前記筐体の内部に設けられ、非接触通信媒体との無線通信用のアンテナを有した無線通信部と、
前記筐体の内部に設けられ、前記入力操作部および前記無線通信部とそれぞれ電気的に接続された制御部と、
を備えた非接触通信媒体対応装置において、
前記制御部は、前記入力操作部へ前記信号が入力される場合には、前記非接触通信媒体と前記無線通信部との無線通信を停止し、前記非接触通信媒体と前記無線通信部とが無線通信を行う場合には、前記入力操作部への前記信号の入力を制限することを特徴とする非接触通信媒体対応装置。
【請求項２】
前記筐体の外面には、前記非接触通信媒体と前記無線通信部との無線通信の停止の有無、および前記入力操作部への前記信号の入力の制限の有無の少なくとも一方を表示する表示体が設けられたことを特徴とする請求項１に記載の非接触通信媒体対応装置。
【請求項３】
前記入力操作部には、前記制御部に、前記入力操作部への前記信号の入力を可能にさせるとともに前記非接触通信媒体と前記無線通信部との無線通信を停止させる第１のスイッチ、および前記入力操作部への前記信号の入力を制限させるとともに前記非接触通信媒体と前記無線通信部との無線通信を可能にさせる第２のスイッチの少なくとも一方が設けられたことを特徴とする請求項１または請求項２に記載の非接触通信媒体対応装置。
【請求項４】
前記アンテナは、前記入力操作部の外周に沿って配置されたことを特徴とする請求項１ないし請求項３の何れか１項に記載の非接触通信媒体対応装置。
【請求項５】
前記制御部は、前記入力操作部へ入力される前記信号の内容が特定の操作内容である場合には、前記非接触通信媒体と前記無線通信部との無線通信を停止することを特徴とする請求項１ないし請求項４の何れか１項に記載の非接触通信媒体対応装置。
【発明の詳細な説明】
【技術分野】
【０００１】
この発明は、筐体と、接触により信号が入力される入力操作部と、非接触通信媒体との無線通信用のアンテナを有した無線通信部とを備えた非接触通信媒体対応装置に関する。
【背景技術】
【０００２】
従来、筐体と、この筐体の外面に設けられ、接触により信号が入力されるテンキーと、前記筐体の内部に設けられ、非接触ＩＣカードとの無線通信用のアンテナを前記テンキーの近傍に有した無線通信部と、前記筐体の内部に設けられ、前記無線通信部および前記テンキーとそれぞれ電気的に接続された制御部とを備え、前記テンキーからの信号の入力および前記非接触ＩＣカードによる無線通信部からの信号の入力との両方を可能とした非接触ＩＣカードリーダが知られている（例えば、特許文献１参照）。
【０００３】
【特許文献１】特開２００５−６３３６８号公報
【発明の開示】
【発明が解決しようとする課題】
【０００４】
しかしながら、このものの場合、利用者が非接触ＩＣカードを持った手でテンキーを操作する場合に、非接触ＩＣカードがアンテナの検知領域に入ってしまい、その結果、意図しないタイミングで非接触ＩＣカードと無線通信部とが無線通信を行い、誤作動を起こしてしまうという問題点があった。
【０００５】
この発明は、上述のような問題点を解決することを課題とするものであって、その目的は、利用者が非接触通信媒体を持った手で入力操作部を操作しても、非接触通信媒体と無線通信部との無線通信を停止させて、誤作動を防ぐことができる非接触通信媒体対応装置を提供するものである。
【課題を解決するための手段】
【０００６】
この発明に係る非接触通信媒体対応装置は、筐体と、前記筐体の外面に設けられ、接触により信号が入力される入力操作部と、前記筐体の内部に設けられ、非接触通信媒体との無線通信用のアンテナを有した無線通信部と、前記筐体の内部に設けられ、前記入力操作部および前記無線通信部とそれぞれ電気的に接続された制御部とを備えた非接触通信媒体対応装置において、前記制御部は、前記入力操作部へ前記信号が入力される場合には、前記非接触通信媒体と前記無線通信部との無線通信を停止し、前記非接触通信媒体と前記無線通信部とが無線通信を行う場合には、前記入力操作部への前記信号の入力を制限する。
【発明の効果】
【０００７】
この発明に係る非接触通信媒体対応装置によれば、利用者が非接触通信媒体を持った手で入力操作部を操作しても、非接触通信媒体がアンテナの検知領域に入ることを防ぎ、その結果、意図しないタイミングで非接触通信媒体と無線通信部とが無線通信するのを防ぎ、誤作動の発生を防ぐことができる。
【発明を実施するための最良の形態】
【０００８】
以下、この発明の各実施の形態を図に基づいて説明するが、各図において、同一または相当の部材、部位については、同一の符号を付して説明する。
実施の形態１．
図１（ａ）は実施の形態１に係るセキュリティシステム用非接触カードリーダ１の正面図、図１（ｂ）は図１（ａ）のセキュリティシステム用非接触カードリーダ１に非接触ＩＣカード４を近づけた場合を示す正面図、図１（ｃ）は図１（ａ）のセキュリティシステム用非接触カードリーダ１のブロック図である。
実施の形態１に係る非接触通信媒体対応装置であるセキュリティシステム用非接触カードリーダ１（以下、カードリーダ１と略称する。）は、筐体２と、この筐体２の外面に設けられ、接触により信号が入力される入力操作部３と、筐体２の内部に設けられ、非接触通信媒体である非接触ＩＣカード４との無線通信用のアンテナ５を入力操作部３の外周に沿って有した無線通信部６と、筐体２の内部に設けられ、入力操作部３、無線通信部６および後述するＬＥＤ１０と電気的に接続された制御部７とを備えている。
このカードリーダ１には、図示しない電気錠が接続されており、非接触ＩＣカード４と無線通信部６との無線通信により入力された信号および入力操作部３により入力された信号と、制御部７に予め記憶されている信号とを比較することで、電気錠の施錠および解錠を行う。
【０００９】
入力操作部３は、数字を入力するテンキー８およびカードリーダ１の機能を選択するファンクションキー９を有している。
入力操作部３の近傍には、表示体であるＬＥＤ１０が設けられている。
ファンクションキー９は、テンキー８からの入力を可能にするとともに非接触ＩＣカード４と無線通信部６との無線通信を停止させる第１のスイッチである操作スイッチ９ａと、テンキー８からの入力を停止させるとともに非接触ＩＣカード４と無線通信部６との無線通信を可能にさせる第２のスイッチであるキャンセルスイッチ９ｂとを備えている。
ＬＥＤ１０は、無線通信可能の有無を表示する無線通信可能表示部１０ａと、テンキー８からの入力可能の有無を表示するテンキー操作可能表示部１０ｂと、施錠および解錠の状態を表示する施錠解錠状態表示部１０ｃと、テンキー８および無線通信部６からの入力された信号と制御部７に記憶されている信号とを照合して正誤の結果を表示する正誤表示部１０ｄとを備えている。
【００１０】
無線通信可能表示部１０ａは、非接触ＩＣカード４と無線通信部６との無線通信が可能であるときに緑色に点灯し、無線通信が停止されているときに赤色に点灯する。
テンキー操作可能表示部１０ｂは、テンキー８からの信号の入力が可能であるときに緑色に点灯し、テンキー８からの入力が停止されているときに赤色に点灯する。
施錠解錠状態表示部１０ｃは、電気錠が施錠されているときに緑色に点灯し、解錠されているときに赤色に点灯する。
正誤表示部１０ｄは、テンキー８および無線通信部６からの入力された信号と制御部７に予め記憶されている信号とを照合して一致したときに緑色に点灯し、不一致のときに赤色に点灯する。
【００１１】
次に、実施の形態１に係るカードリーダ１の動作について説明する。
待機状態では、電気錠が施錠されている。
非接触ＩＣカード４と無線通信部６との無線通信が可能となっており、入力操作部３はファンクションキー９の操作スイッチ９ａのみが反応可能である。このとき、無線通信可能表示部１０ａは緑色に点灯し、テンキー操作可能表示部１０ｂは赤色に点灯している。
利用者が、非接触ＩＣカード４を入力操作部３に近づけると、非接触ＩＣカード４と無線通信部６とが無線通信を行い、非接触ＩＣカード４から制御部７へ信号が入力される。制御部７は、この非接触ＩＣカード４から入力された信号と制御部７に予め記憶されている信号とを比較し、一致した場合には、非接触ＩＣカード４と無線通信部６との無線通信を停止し、テンキー８からの入力が可能となる。このとき、正誤表示部１０ｄが緑色に点灯し、無線通信可能表示部１０ａが赤色に点灯し、テンキー操作可能表示部１０ｂが緑色に点灯する。
【００１２】
次に、利用者がテンキー８から暗証番号である信号を入力すると、制御部７は、テンキー８から入力された信号と予め制御部７に記憶された信号とを比較する。テンキー８から入力された信号と予め制御部７に記憶された信号とが一致した場合には、電気錠が一定時間解錠される。このとき、正誤表示部１０ｄが緑色に点灯し、施錠解錠状態表示部１０ｃが赤色に点灯する。
一定時間経過後は、自動的に電気錠が施錠され、テンキー８からの入力が停止され、非接触ＩＣカード４と無線通信部６との無線通信が可能となる。このとき、施錠解錠状態表示部１０ｃは緑色に点灯し、テンキー操作可能表示部１０ｂが赤色に点灯し、無線通信可能表示部１０ａが緑色に点灯する。
【００１３】
一方、非接触ＩＣカード４から制御部７へ入力された信号と、制御部７に予め記憶された信号とが不一致の場合には、正誤表示部１０ｄが赤色に点灯し、非接触ＩＣカード４と無線通信部６との無線通信は可能のままで、待機状態となる。
テンキー８から入力された信号と、制御部７に予め記憶された信号とが不一致の場合には、電気錠は施錠されたままであり、テンキー８からの入力が停止され、非接触ＩＣカード４と無線通信部６との無線通信が可能となる。このとき、正誤表示部１０ｄが赤色に点灯し、テンキー操作可能表示部１０ｂが赤色に点灯し、無線通信可能表示部１０ａが緑色に点灯する。
【００１４】
また、テンキー８からの入力が可能な状態で、キャンセルスイッチ９ｂを押下げると、制御部７は、再び非接触ＩＣカード４と無線通信部６との無線通信を可能にし、テンキー８からの入力を停止させる。このとき、無線通信可能表示部１０ａは緑色に点灯し、テンキー操作可能表示部１０ｂは赤色に点灯する。
【００１５】
以上説明したように、実施の形態１に係るカードリーダ１によると、テンキー８により信号が入力される場合には、非接触ＩＣカード４と無線通信部６との無線通信が停止されるので、利用者が非接触ＩＣカード４を持った手でテンキー８を操作しても、非接触ＩＣカード４と無線通信部６とが無線通信により発生する誤作動を防止することができる。
また、非接触ＩＣカード４により信号を入力する場合には、テンキー８からの入力を停止させるので、非接触ＩＣカード４を入力操作部３に近づけている間に、間違ってテンキー８を押したとしても、非接触ＩＣカード４と無線通信部６との無線通信が妨害されて誤作動が発生することを防ぐことができる。
【００１６】
また、非接触ＩＣカード４と無線通信部６との無線通信の停止の有無を表示する無線通信可能表示部１０ａおよびテンキー８からの入力の停止の有無を表示するテンキー操作可能表示部１０ｂが設けられているので、利用者は、非接触ＩＣカード４と無線通信部６との無線通信の停止の有無およびテンキー８からの入力の停止の有無を容易に認識することができる。
【００１７】
また、入力操作部３には、制御部７に、入力操作部３への信号の入力を可能にさせるとともに非接触ＩＣカード４と無線通信部６との無線通信を停止させる操作スイッチ９ａと、入力操作部３への信号の入力を停止させるとともに非接触ＩＣカード４と無線通信部６との無線通信を可能にさせるキャンセルスイッチ９ｂとが設けられているので、利用者は、非接触ＩＣカード４と無線通信部６との無線通信による信号の入力とテンキー８からの信号の入力とを容易に選択することができる。
【００１８】
また、アンテナ５が入力操作部３の外周に沿って設けられているので、カードリーダ１全体を小型化することができる。
【００１９】
実施の形態２．
図２は実施の形態２に係るカードリーダ１を示す正面図、図３（ａ）〜図３（ｅ）は図２のタッチパネル１１および液晶パネル１２の画面遷移を示す説明図である。
実施の形態２に係るカードリーダ１には、室内の侵入センサ（図示せず）を有効にする警備機能が備えられ、警備を開始すると、侵入センサが室内への何者かの侵入を検知した時には警報を発生させることができる。
カードリーダ１には、タッチパネル１１と表示体である液晶パネル１２が重ねて設けられている。
入力操作部３は、タッチパネル１１表面に形成される操作スイッチ１３ａ、警備切換スイッチ１３ｂおよび戻るスイッチ１３ｃから構成されている。
操作スイッチ１３ａは、非接触ＩＣカード４と無線通信部６との無線通信を停止させるとともに警備切換スイッチ１３ｂを押下げ可能にする。
警備切換スイッチ１３ｂは、警備の開始または停止を設定する。
戻るスイッチ１３ｃは、非接触ＩＣカード４と無線通信部６との無線通信を可能にするとともに操作スイッチ１３ａを押下げ可能にする。
その他の構成は、実施の形態１と同様である。
【００２０】
次に、実施の形態２に係るカードリーダ１の警備を開始させる場合について説明する。
図３（ａ）は待機状態であり、電気錠が施錠され、非接触ＩＣカード４と無線通信部６との無線通信が可能になっている。タッチパネル１１には、操作スイッチ１３ａが形成され、液晶パネル１２には、無線通信が可能であることが表示されている。
利用者が操作スイッチ１３ａを押下げると、非接触ＩＣカード４と無線通信部６との無線通信は停止され、図３（ｂ）に示すように、タッチパネル１１には、警備切換スイッチ１３ｂおよび戻るスイッチ１３ｃが形成され、液晶パネル１２は、無線通信の表示が削除される。
次に、警備切換スイッチ１３ｂを押下げると、非接触ＩＣカード４と無線通信部６との無線通信が再び可能となり、図３（ｃ）に示すように、タッチパネル１１には、戻るスイッチ１３ｃが形成され、液晶パネル１２は無線通信が可能であることが表示される。
利用者が非接触ＩＣカード４をタッチパネル１１に近づけると、図３（ｄ）に示すように、非接触ＩＣカード４と無線通信部６との無線通信が行われ、警備が開始される。
２秒経過後には、タッチパネル１１および液晶パネル１２は元の待機状態に戻る。
【００２１】
待機状態では、実施の形態１のカードリーダ１と同様に、非接触ＩＣカード４をタッチパネル１１に近づけると、図３（ｅ）に示すように、電気錠は解錠され、２秒経過後には、タッチパネル１１および液晶パネル１２は再び待機状態に戻る。
【００２２】
以上説明したように、実施の形態２に係るカードリーダ１によると、非接触ＩＣカード４と無線通信部６との無線通信が可能なときには、タッチパネル１１から入力するスイッチを操作スイッチ１３ａまたは戻るスイッチ１３ｃに制限されるので、非接触ＩＣカード４をタッチパネル１１に近づけたときに、利用者の手が不意にタッチパネル１１に触れた場合でも、カードリーダ１の誤動作の発生を防ぐことができる。
また、誤動作が生じると例えば誤って警備を開始したり、逆に誤って警備を解除したりしてしまうという大きな問題が発生する恐れがある警備切換操作を行う際には、警備切換操作のための操作スイッチ１３ａを押下げることで、非接触ＩＣカード４と無線通信部６との無線通信が停止されるので、誤動作が防止され、その結果、大きな問題が発生するのを防ぐことができる。
【００２３】
実施の形態３．
図４は実施の形態３に係るカードリーダ１のタッチパネル１１および液晶パネル１２の画面遷移を示す説明図である。
実施の形態３に係るカードリーダ１は、実施の形態２のカードリーダ１と同様に、タッチパネル１１と表示体である液晶パネル１２とが重ねて設けられている。
入力操作部３は、タッチパネル１１表面に形成されるテンキー８、操作スイッチ１３ａおよび戻るスイッチ１３ｃから構成されている。
その他の構成は実施の形態１と同様である。
【００２４】
次に、実施の形態３に係るカードリーダ１の解錠動作について説明する。
図４（ａ）に示すように、待機状態では、非接触ＩＣカード４と無線通信部６との無線通信が可能となっており、タッチパネル１１には、操作スイッチ１３ａが形成されている。
利用者が非接触ＩＣカード４をタッチパネル１１に近づけると、非接触ＩＣカード４と無線通信部６とが無線通信を行い、図４（ｂ）に示すように、タッチパネル１１には、テンキー８と戻るスイッチ１３ｃが形成される。このとき、非接触ＩＣカード４と無線通信部６との無線通信は停止される。
利用者がテンキー８から信号を入力すると、制御部７は、テンキー８から入力された信号と制御部７に予め記憶されている信号とを比較する。各信号が一致した場合には、制御部７は、電気錠を解錠するとともに、図４（ｃ）に示すように、液晶パネル１２に電気錠が解錠されたこと表示する。
２秒経過すると、タッチパネル１１および液晶パネル１２は図４（ａ）に示す待機状態に戻る。
なお、テンキー８から入力された信号と制御部７に予め記憶されている信号とが不一致の場合にも、タッチパネル１１および液晶パネル１２は図４（ａ）に示す待機状態に戻る。
【００２５】
以上説明したように、実施の形態３に係るカードリーダ１によると、非接触ＩＣカード４と無線通信部６との無線通信を行う際には、タッチパネル１１からの入力を制限するので、無線通信中に、利用者が不意にタッチパネル１１に触れても、カードリーダ１が誤作動を起こすことを防ぐことができる。
また、タッチパネル１１にはテンキー８が形成され、このテンキー８から信号が入力する際には、非接触ＩＣカード４と無線通信部６との無線通信が停止されるので、利用者のテンキー８を押す手に非接触ＩＣカード４が保持されている場合であっても、カードリーダ１が誤作動を起こすことを防ぐことができる。
【００２６】
なお、上記各実施の形態では、非接触通信媒体対応装置をカードリーダ１として説明したが、勿論このものに限らず、セキュリティシステム用以外のものでもよく、また、カード以外の非接触通信媒体に対応した装置でもよい。
【図面の簡単な説明】
【００２７】
【図１】図１（ａ）は実施の形態１に係るセキュリティシステム用非接触カードリーダの正面図、図１（ｂ）は図１（ａ）に非接触ＩＣカードを近づけた場合を示す正面図、図１（ｃ）は図１のセキュリティシステム用非接触カードリーダのブロック図である。
【図２】実施の形態２に係るセキュリティシステム用非接触カードリーダを示す正面図である。
【図３】図３（ａ）〜図３（ｅ）は図２のタッチパネルおよび液晶パネルの画面遷移を示す説明図である。
【図４】図４（ａ）〜図４（ｃ）は実施の形態３に係るセキュリティシステム用非接触カードリーダのタッチパネルおよび液晶パネルの画面遷移を示す説明図である。
【符号の説明】
【００２８】
１  セキュリティシステム用非接触カードリーダ（非接触通信媒体対応装置）、２  筐体、３  入力操作部、４  非接触ＩＣカード（非接触通信媒体）、５  アンテナ、６  無線通信部、７  制御部、８  テンキー、９  ファンクションキー、９ａ  操作スイッチ、９ｂ  キャンセルスイッチ、１０  ＬＥＤ、１０ａ  無線通信可能表示部、１０ｂ  テンキー操作可能表示部、１０ｃ  施錠解錠状態表示部、１０ｅ  正誤表示部、１１  タッチパネル、１２  液晶パネル、１３ａ  操作スイッチ、１３ｂ  切換スイッチ、１３ｃ  戻るスイッチ。
【図１】
2008123433.tif 000003
【図２】
2008123433.tif 000004
【図３】
2008123433.tif 000005
【図４】
2008123433.tif 000006